(57)【特許請求の範囲】
【請求項１】
コンプレッサーと、コンデンサーと、エバポレータと、コンプレッサーとコンデンサーとエバポレータとを連絡する冷媒の冷媒通路とを有する冷蔵装置と、空気中のエチレンガスを吸着分解するエチレン吸着分解触媒を有する鮮度保持装置とを備え、コンプレッサーとコンデンサーを連絡する冷媒通路は、鮮度保持装置に連絡する冷媒の循環通路を形成してなる鮮度保持装置付き冷蔵装置。
【請求項２】
鮮度保持装置に連絡する冷媒の循環通路は、通路の開閉手段を備えてなる請求項１記載の鮮度保持装置付き冷蔵装置。
【請求項３】
鮮度保持装置に連絡する冷媒の循環通路はエチレン吸着分解触媒の上流側を通過するように配設されてなる請求項１記載の鮮度保持装置付き冷蔵装置。
【発明の詳細な説明】
【０００１】
【発明の属する技術分野】
本発明はエチレンガス分解機構を有する鮮度保持装置を備えた冷蔵装置に関する。
【０００２】
【従来の技術】
鮮度保持装置において、青果物，花き等の鮮度を保持するために、鮮度の劣化に関与しているエチレンガスを分解除去する触媒を用いていた。
エチレンガス除去に用いられている触媒は数種類の触媒があるが、いずれの触媒においてもエチレンガスの吸着、分解反応を利用している。
これらの装置は冷凍車等の低温環境に設置した場合、エチレン吸着効率は良いがエチレンの分解反応、および分解物の脱離においては低温のため効率が悪かった。
【０００３】
そこで、エチレンの分解反応効率を向上させるため、特開平８−５２２８号公報に、空気の流下方向に直角にエチレン除去脱臭シートと加熱ヒータを備えたエチレン除去脱臭装置が開示されている。
また、特開平５−２７７３２６号公報には、ダクトを流下する空気中のエチレンを吸着する吸着材と、その上流側に配設する温度制御装置とを備え、吸着材を冷却、または加熱することにより吸着材のエチレン吸着量を増減させる雰囲気制御装置が開示されている。
【０００４】
【発明が解決しようとする課題】
しかし、上記開示されている装置は、触媒を加熱させるための加熱手段を新たに配設しており、装置全体を大型化すると共に、エネルギーコストを増加させていた。
そこで、この発明はエチレンガス吸着効率、およびエチレンガスの分解効率がよく、かつ装置の小型化を達成できる鮮度保持装置を提供するものである。
【０００５】
【課題を解決するための手段】
本発明の鮮度保持装置付きの冷蔵装置は、コンプレッサーとコンデンサーとエバポレータとの間に配設する冷媒の通路に冷媒を循環させて、高温高圧から低温低圧に換える冷凍サイクルを構成すると共に、コンプレッサーから流出する高温高圧冷媒の通路に、鮮度保持装置に連絡する冷媒の循環通路を形成する構成を具備する。
鮮度保持装置に連絡する冷媒の循環通路は、通路の開閉手段を備え、エチレン吸着分解触媒の上流側を通過する構成を有する。
【０００６】
【発明の実施の形態】
本発明の鮮度保持装置付き冷蔵装置の実施の形態を図面を参照して説明する。
図１は鮮度保持装置付きの冷蔵装置の機構説明図、図２は鮮度保持装置の斜視図である。
【０００７】
冷蔵装置１は冷媒を圧縮するコンプレッサー１０と、圧縮された冷媒を凝縮するコンデンサー２０と、コンデンサー２０からの冷媒を蒸発させるエバポレータ３０を有する。
コンプレッサー１０から流出するガス冷媒は、第１の冷媒通路１５からコンデンサ２０に流入し液化される。コンデンサ２０から流出する液体冷媒は第２の冷媒通路２５から、エバポレータ３０に流入し周囲の熱を奪ってガス化される。ガス冷媒は第３の冷媒通路３５を通ってコンプレッサー１０に流入し圧縮されて第１の冷媒通路１５から、循環される。
【０００８】
第１の冷媒通路１５には通路切換器５０を介して鮮度保持装置４０に通づる第４の冷媒通路４５を配設する。
第４の冷媒通路４５は第１の冷媒通路１５から冷媒が鮮度保持装置４０に流入する流入側通路４５Ａと、鮮度保持装置４０から流出する冷媒を第１の冷媒通路１５に戻す流出側通路４５Ｂを有する。
冷媒は第１の通路１５の分岐点１７から流入側通路４５Ａを通って鮮度保持装置４０に流入し、流出側通路４５Ｂを通って、分岐点１９から第１の冷媒通路１５に流入し循環するように配設されている。
【０００９】
通路切換器５０は流入側通路４５Ａの第１の冷媒通路１５近辺に配設する第１のバルブ５１、流出側通路４５Ｂの第１の冷媒通路１５近辺に配設する第２のバルブ５３と、第１の冷媒通路１５の分岐点１７と分岐点１９との間の第１の通路１５に配設する第３のバルブ５５を備えている。各バルブ５１，５３，５５は開閉制御装置６０により開閉が制御されている。
【００１０】
鮮度保持装置４０はエチレンを除去、分解する触媒を内在させる触媒部４１を有している。
触媒部４１の触媒は、エチレンを吸着する吸着剤としての活性炭と、エチレンの分解触媒としての白金、パラジウム、酸化チタン等を練り込んで混合したものを用いている。
なお、エチレンの分解は、分解触媒による酸化反応で炭酸ガスと水に分解されるが、分解反応を活性化させてより分解を促進させるために、オゾンを付与させることもある。
【００１１】
触媒部４１の表面にはその全面に第４の冷媒通路４５を延設した冷媒細管部４５０を配設する。
冷媒細管部４５０は、例えば図２に示すように、第４の冷媒通路４５を形成する配管サイズよりその管径を細くした細径管を蛇行させて触媒部４１の配設部分の全面を被覆するように配設する。冷媒細管部４５０は鮮度保持装置４０の触媒部４１に対して風流入側に配置する。
【００１２】
通路切換器５０の制御装置６０は、第１のバルブ５１，第２のバルブ５３、第３のバルブ５５の開閉を制御している。
例えば、第１のバルブ５１と第２のバルブ５３を解放し、第３のバルブ５５を閉鎖する。この状態で、コンプレッサー１０から流出した冷媒は第１の冷媒通路１５から第４の冷媒通路４５に流入し、流入側通路４５Ａから鮮度保持装置４０の細管部４５０を通って、流出側通路４５Ｂから第１の冷媒通路１５に循環し、コンデンサー２０に流入する。
このとき、コンプレッサー１０で圧縮された冷媒は高温高圧となっているので、高温の冷媒は第４の冷媒通路４５から触媒部４１の全面を通って、低温の触媒部４１の触媒を温め、流出側通路４５Ｂから第１の冷媒通路１５に戻る。
一定時間経過すると、第３のバルブ５５を開き、第１と第２のバルブ５１，５３を閉鎖する。
この状態でコンプレッサー１０からの圧縮された高温の冷媒は第１の冷媒通路１５を通ってコンデンサー２０に流入し、通常の冷媒の循環を実行する。
【００１３】
この冷蔵装置１は、鮮度保持装置４０を冷雰囲気中に設置しているので、矢印方向からの空気に含まれるエチレンを触媒部４１で効率良く吸着する。
そして、制御装置６０は一定時間毎に圧縮された高温の冷媒を鮮度保持装置４０の触媒部４１に循環させる。鮮度保持装置４０の触媒部４１は触媒温度が上昇し、エチレンの分解、および分解物の離脱が促進される。細管部４５０による温度の上昇は矢印方向に流れる風により触媒部４１の内部に進行し、触媒部４１全体の温度上昇を促しエチレンの分解、離脱をさらに進行させる。
【００１４】
このように、制御装置６０の通路切換器５０の一連のバルブ開閉制御により、鮮度保持装置４０の触媒の表面温度が一定間隔で低温、高温を繰返し、効率的にエチレンの吸着、分解を実行し、エチレン除去能力を向上させる。
なお、この実施の形態では制御装置はバルブの開閉を時間によって制御する例を説明したが、温度、濃度等による制御としても同様の効果を達成する。
【００１５】
（実施例）
次に、鮮度保持装置４０を備えた冷蔵装置をコンテナに配設する実施例を説明する（図３参照）。
冷蔵コンテナ１００には、冷蔵装置１と鮮度保持装置４０を配設している。
冷蔵装置１はコンテナ１００の外部に配設するコンプレッサー１０と、コンテナ１００内に配設するコンデンサー２０とエバポレータ３０等を装備している。
エバポレータ３０は冷蔵コンテナ１０内の空気を取り入れて除湿と冷却を達成して、乾燥した冷気を放出する。
【００１６】
鮮度保持装置４０はエバポレータ３０の上流側に配設される。
鮮度保持装置４０は流入するコンテナ１００内の空気のエチレンガスを吸着し、分解して、コンテナ内のエチレンガスを除去する。
鮮度保持装置４０は冷蔵装置１の冷媒通路１５から分岐する第４の冷媒通路４５で冷蔵装置１の冷媒循環系に連絡している。
【００１７】
第４の冷媒通路４５が切換器５０により第１の冷媒通路１５に連絡したとき、コンプレッサー１０から流出する高温に圧縮された冷媒は、第４の冷媒通路４５から鮮度保持装置４０内に流入し、鮮度保持装置４０内に収容されている触媒を加熱させ、触媒に吸着しているエチレンの分解を促進させる。
また、この状態で一定時間経過すると切換器５０が切り替わり、コンプレッサー１０からの冷媒は鮮度保持装置４０を経由せずにコンデンサー２０に流入する。この間、鮮度保持装置４０の触媒は冷雰囲気中で冷され、エチレンの吸着を実行する。
【００１８】
【発明の効果】
本発明の鮮度保持装置付きの冷蔵装置は、触媒の加熱、冷却が達成されエチレンガス吸着効率、およびエチレンガスの分解効率がよい。さらに、加熱装置等の特別な装置を配設する必要がなく、装置の小型化を達成できる。
【図面の簡単な説明】
【図１】本発明に係る鮮度保持装置付きの冷蔵装置の構成説明図。
【図２】鮮度保持装置の斜視図。
【図３】冷蔵コンテナに配設される鮮度保持装置付き冷蔵装置の概略図。
【符号の説明】
１０  コンプレッサー
１５  第１の冷媒通路
２０  コンデンサー
２５  第２の冷媒通路
３０  エバポレータ
３５  第３の冷媒通路
４０  鮮度保持装置
４１  触媒部
５０  切換装置
５１，５３，５５  バルブ
６０  制御装置
４５０  細管部
【図１】
0003826560.tif 000002
【図２】
0003826560.tif 000003
【図３】
0003826560.tif 000004